【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
ＡＣ駆動信号の前記印加に応答して周期的に拡張及び収縮する少なくとも１つの駆動体を有するハンドピースと、前記少なくとも１つの駆動体に接続されるチップとを準備するステップであって、前記チップは、対向する近位端及び遠位端を有し、前記近位端は、前記少なくとも１つの駆動体の前記拡張及び前記収縮に応答して長手方向に振動するように前記駆動体に接続され、前記チップは、前記チップの前記近位端において誘発される長手方向振動を、前記チップの前記遠位端の付近において、長手方向成分及びねじれ方向成分を有する振動に変換する、前記近位端と前記遠位端との間の特徴部を有し、前記チップは、処置を行うように構成されたヘッドを前記遠位端に有する、準備するステップと、
周波数及び電位の双方が変化する前記ＡＣ駆動信号を電源装置から前記ハンドピースに供給するステップと、
前記ハンドピースの機械構成要素を通る電流の目標仕事当量を求めるステップと、
前記ハンドピースに供給される電流と、前記電源装置の前記出力の両端間の電圧とを測定するステップと、
前記ハンドピースに供給される前記電流と、前記電源装置の両端間の前記電圧と、前記ＡＣ駆動信号の周波数と、前記少なくとも１つの駆動体のキャパシタンスとに基づいて、前記ハンドピースの機械構成要素を通る電流の仕事当量を計算するステップと、
前記電流の目標仕事当量と前記計算された電流の仕事当量とを比較するステップと、
前記電流の目標仕事当量と前記計算された電流の仕事当量との前記比較に基づいて、前記電源装置によって供給される前記ＡＣ駆動信号の前記電位を選択的に設定するステップと、
前記ハンドピースに供給される前記電流と、前記電源装置の両端間の前記電圧と、前記ＡＣ駆動信号の前記周波数と、前記少なくとも１つの駆動体の前記キャパシタンスとに基づいて、前記少なくとも１つの駆動体を通る電流と、前記ハンドピースの前記機械構成要素を通る前記計算された電流の仕事当量との間の比を計算するステップと、
前記少なくとも１つの駆動体を通る前記電流と、前記ハンドピースの前記機械構成要素を通る前記計算された電流の仕事当量との間の前記比に基づいて、前記電源装置によって供給される前記ＡＣ駆動信号の前記周波数を設定するステップであって、前記周波数は、前記ハンドピースの２つの隣接する機械共振モードの共振周波数の間の周波数になるようにされ、前記少なくとも１つの駆動体は、前記チップを前記隣接する機械共振モードにおいて同時に振動させる振動を前記チップに誘発するようにされ、前記機械共振モードのうちの第１のものの前記チップヘッドにおける振動の長手方向成分は、前記機械共振モードのうちの第２のものの前記チップヘッドの振動の長手方向成分を少なくとも部分的にキャンセルするようにされる、設定するステップと、
を含む、超音波チップを振動させる方法。
【請求項２】
前記比に基づく前記ＡＣ駆動信号の前記周波数を設定する前記ステップの前に、電源装置から前記少なくとも１つの駆動体に前記ＡＣ駆動信号を供給する前記ステップを最初に実行するとき、前記機械共振モードうちの前記第１のものの前記チップヘッドの前記振動の前記長手方向成分が前記機械共振モードのうちの前記第２のものの前記振動の前記長手方向成分を少なくとも部分的にキャンセルするように、前記ＡＣ駆動信号の前記周波数を、前記ハンドピースの前記２つの隣接する機械共振モードの前記共振周波数の間の周波数に設定するステップを更に含む、請求項１に記載の方法。
【請求項３】
前記少なくとも１つの駆動体を通る前記電流と、前記ハンドピースの前記機械構成要素を通る前記計算された電流の仕事当量との間の前記比を計算する前記ステップの後、前記比は目標比と比較され、
前記比に基づいて前記ＡＣ駆動信号の前記周波数を設定する前記ステップは、前記少なくとも１つの駆動体を通る前記電流と前記ハンドピースの前記機械構成要素を通る前記計算された電流の仕事当量との間の前記比と前記目標比との前記比較に基づいて実行される、請求項１又は２に記載の方法。
【請求項４】
超音波手術用具システムであって、
ＡＣ駆動信号の前記印加に応答して周期的に拡張及び収縮する少なくとも１つの駆動体を有するハンドピースと、
対向する近位端及び遠位端を有するチップであって、該チップの前記近位端は、前記少なくとも１つの駆動体の前記拡張及び前記収縮が該チップの前記近位端を長手方向に振動させるように前記少なくとも１つの駆動体に連結される、チップと、
前記遠位端におけるヘッドであって、振動されると、処置を行うように成形されたヘッドと、
前記チップの前記近位端に存在する前記長手方向振動を、前記遠位端において長手方向成分及びねじれ方向成分を有する振動に変換する、特徴部と、
を備え、
前記ハンドピースの前記少なくとも１つの駆動体に印加される可変ＡＣ駆動信号を生成するアセンブリと、
駆動信号電圧を表す信号を出力する前記ＡＣ駆動信号の電圧を測定するアセンブリと、
駆動信号電流を表す信号を出力する前記ハンドピースに印加される前記ＡＣ駆動信号の電流を測定するアセンブリと、
前記駆動信号電圧を表す信号及び前記駆動信号電流を表す信号を受信するプロセッサであって、前記プロセッサは、
前記ハンドピースの機械構成要素を通る電流の目標仕事当量を求めることと、
前記ＡＣ駆動信号の前記電圧と、前記ＡＣ駆動信号の前記電流と、前記ＡＣ駆動信号の周波数と、前記少なくとも１つの駆動体のキャパシタンスとに基づいて、前記ハンドピースの機械構成要素に印加される電流の仕事当量を計算することと、
前記電流の目標仕事当量を、前記ハンドピースの前記機械構成要素に印加される前記計算された電流の仕事当量と比較することと、
前記電流の比較に基づいて、前記ＡＣ駆動信号を生成する前記アセンブリによって出力される前記ＡＣ駆動信号の電位を設定することと、
前記ＡＣ駆動信号の前記電圧と、前記ＡＣ駆動信号の前記電流と、前記ＡＣ駆動信号の前記周波数と、前記少なくとも１つの駆動体の前記キャパシタンスとに基づいて、前記少なくとも１つの駆動体に印加される電流と、前記ハンドピースの前記機械構成要素に印加される前記電流の仕事当量との間の比を計算することと、
前記計算された比に基づいて、前記ＡＣ駆動信号を生成する前記アセンブリによって出力される前記ＡＣ駆動信号の前記周波数を、前記ハンドピースの２つの隣接する機械共振モードの共振周波数の間の周波数に設定することであって、前記機械共振モードのうちの第１のものの前記チップヘッドの振動の長手方向成分が、前記機械共振モードのうちの第２のものの前記チップヘッドの振動の長手方向成分を少なくとも部分的にキャンセルするように、設定することと、
を行うように構成されたプロセッサと、
を備える、超音波手術用具システム。
【請求項５】
前記プロセッサは、前記比に基づいて前記ＡＣ駆動信号の前記周波数を設定する前に、前記機械共振モードのうちの前記第１のものの前記チップヘッドの前記振動の前記長手方向成分が、前記機械共振モードのうちの前記第２のものの前記振動の前記長手方向成分を少なくとも部分的にキャンセルするように、前記ＡＣ駆動信号の前記周波数を、前記ハンドピースの前記２つの隣接する機械共振モードの前記共振周波数の間の周波数に最初に設定するように更に構成される、請求項４に記載のシステム。
【請求項６】
前記プロセッサは、前記ＡＣ駆動信号の前記電流と前記少なくとも１つの駆動体を通る前記電流との前記差を求めることによって、前記ハンドピースの前記機械構成要素に印加される前記電流の仕事当量を計算するように構成される、請求項４又は５に記載のシステム。
【請求項７】
前記プロセッサは、前記少なくとも１つの駆動体の前記キャパシタンスと、前記ＡＣ駆動信号の前記電圧及び前記周波数との関数として、前記少なくとも１つの駆動体を通る前記電流を求めるように構成される、請求項６に記載のシステム。
【請求項８】
前記プロセッサは、
前記少なくとも１つの駆動体に印加される前記電流と、前記ハンドピースの前記機械構成要素に印加される前記電流の仕事当量との間の前記計算された比が、目標比に実質的に等しいか否かを判断することと、
前記判断が、前記計算された比が前記目標比に実質的に等しくないことを示す場合、前記ＡＣ駆動信号の前記周波数を調整することと、
を行うように構成される、請求項４〜７のいずれか１項に記載のシステム。
【請求項９】
前記プロセッサが、前記少なくとも１つの駆動体に印加される前記電流と、前記ハンドピースの前記機械構成要素に印加される前記電流の仕事当量との間の前記計算された比が、前記目標比に実質的に等しいか否かを判断するとき、前記プロセッサは、前記計算された比が０の目標比に実質的に等しいか否かを判断する、請求項８に記載のシステム。
【請求項１０】
前記プロセッサは、
前記少なくとも１つの駆動体の前記キャパシタンスを表すデータを前記ハンドピースに関連付けられたメモリから得ることと、
前記システムの少なくとも初期起動時に、前記ハンドピースメモリから得られた前記駆動体のキャパシタンスのデータに基づいて、前記ハンドピースの機械構成要素に印加される前記電流の仕事当量を計算することと、
前記ハンドピースメモリから読み取られた前記駆動体のキャパシタンスのデータに基づいて、前記少なくとも１つの駆動体に印加される前記電流と前記ハンドピースの前記機械構成要素に印加される前記電流の仕事当量との間の前記比を計算することと、
を行うように更に構成される、請求項４〜９のいずれか１項に記載のシステム。
【請求項１１】
前記プロセッサは、
前記ハンドピースチップの振動の所望の大きさを示すユーザ入力コマンドを表す信号を受信することと、
前記ハンドピースチップの振動の前記所望の大きさを示す前記ユーザ入力コマンドを表す前記信号に基づいて、前記電流の目標仕事当量を求めることと、
を行うように更に構成される、請求項４〜１０のいずれか１項に記載のシステム。
【請求項１２】
前記ＡＣ駆動信号を生成する前記アセンブリは、定電圧における信号を出力する電源装置と、該電源装置によって出力された前記信号を受信し、可変電位駆動信号を出力するために該電源装置からの前記信号を増幅するように構成された可変増幅器とを備え、
前記プロセッサは、前記増幅器に接続されて、前記増幅器の前記利得を調節することによって前記駆動信号の前記電位を設定する、請求項４〜１１のいずれか１項に記載のシステム。
【請求項１３】
前記プロセッサは、前記増幅器に接続されて、前記増幅器によって出力される前記信号の前記周波数及び前記振幅を調節することによって前記駆動信号の前記電位及び前記周波数を設定する、請求項１２に記載のシステム。
【請求項１４】
前記チップにおける特徴部には溝が形成され、該溝は、存在する結果として、前記少なくとも１つの駆動体から前記チップに印加される前記長手方向振動運動が長手方向成分及びねじれ方向成分を有する振動運動に変換されるように成形される、請求項４〜１３のいずれか１項に記載のシステム。
【請求項１５】
前記溝は、前記チップの長手方向軸の回りに曲線を描くように螺旋状に成形される、請求項１４に記載のシステム。 
【手続補正２】
【補正対象書類名】明細書
【補正対象項目名】０１４９
【補正方法】変更
【補正の内容】
【０１４９】
したがって、添付の特許請求の範囲の目的は、本発明の真の趣旨及び範囲に入る全てのそのような変形及び変更を包含することである。
なお、出願当初の特許請求の範囲の記載は以下の通りである。
請求項１：
ＡＣ駆動信号の前記印加に応答して周期的に拡張及び収縮する少なくとも１つの駆動体（３６）を有するハンドピース（３２）と、前記駆動体に接続されるチップとを準備するステップであって、前記チップは、対向する近位端及び遠位端を有し、前記近位端（１６４）は、前記少なくとも１つの駆動体の前記拡張及び前記収縮に応答して長手方向に振動するように前記駆動体に接続され、前記チップは、前記チップの前記近位端において誘発される長手方向振動を、前記チップの前記遠位端の付近において、長手方向成分及びねじれ方向成分を有する振動に変換する、前記近位端と前記遠位端との間の特徴部（１５４）を有し、前記チップは、適用される前記組織に対して医療処置を行うように構成されたヘッド（１６４）を前記遠位端に有する、準備するステップと、
周波数及び電位の双方が変化するＡＣ駆動信号を電源装置（２３２、２３４、２３８）から前記ハンドピース（３２）に供給するステップ（３４４）と、
前記ハンドピース（３２）の機械構成要素を通る電流の目標仕事当量を求めるステップ（３４２）と、
前記ハンドピースに供給される前記電流と、前記電源装置の前記出力の両端間の前記電圧とを測定するステップ（３４６）と、
前記ハンドピースに供給される前記電流と、前記電源装置の両端間の前記電圧と、前記駆動信号の前記周波数と、前記少なくとも１つの駆動体の前記キャパシタンスとに基づいて、前記ハンドピースの機械構成要素を通る電流の仕事当量を計算するステップ（３４６）と、
前記電流の目標仕事当量と前記計算された電流の仕事当量とを比較するステップ（３５０）と、
前記電流の目標仕事当量と前記計算された電流の仕事当量との前記比較に基づいて、前記電源装置によって供給される前記ＡＣ駆動信号の前記電位を選択的に設定するステップ（３５２）と、
前記ハンドピースに供給される前記電流と、前記電源装置の両端間の前記電圧と、前記駆動信号の前記周波数と、前記少なくとも１つの駆動体の前記キャパシタンスとに基づいて、前記少なくとも１つの駆動体を通る前記電流と、前記ハンドピースの前記機械構成要素を通る前記電流の仕事当量との間の比を計算するステップ（３５６）と、
前記少なくとも１つの駆動体を通る前記電流と、前記ハンドピースの前記機械構成要素を通る前記電流の仕事当量との間の前記比に基づいて、前記電源装置によって供給される前記ＡＣ駆動信号の前記周波数を設定するステップであって、前記周波数は、前記ハンドピース（３２）の２つの隣接する機械共振モードの共振周波数（ｆ１、ｆ２）の間の周波数（ｆＬＣ）になるようにされ、前記少なくとも１つの駆動体（３６）は、前記チップを前記隣接する機械共振モードにおいて同時に振動させる振動を前記チップ（１４２）に誘発するようにされ、前記機械共振モードのうちの第１のものの前記チップヘッド（１６４）における前記振動の長手方向成分は、前記機械共振モードのうちの第２のものの前記チップヘッドの前記振動の長手方向成分を少なくとも部分的にキャンセルするようにされる、設定するステップと、
を含む、超音波手術チップを振動させる方法。
請求項２：
前記計算された比を前記目標比と比較する前記ステップの前に、電源装置（２３２、２３４、２３８）から前記少なくとも１つの駆動体（３６）にＡＣ駆動信号を供給する前記ステップを最初に実行するとき、前記機械共振モードうちの前記第１のものの前記チップヘッド（１６４）の前記振動の前記長手方向成分が前記機械共振モードのうちの前記第２のものの前記振動の前記長手方向成分を少なくとも部分的にキャンセルするように、前記ＡＣ駆動信号の周波数を、前記ハンドピースの前記２つの隣接する機械共振モードの前記共振周波数（ｆ１、ｆ２）の間の周波数（ｆＬＣ）に設定するステップ（３４４）を更に
含む、請求項１に記載の方法。
請求項３：
前記ハンドピースを通る前記電流の仕事当量を計算する前記ステップ（３４６）は、前記ハンドピースに供給される前記電流（ｉＳ）と前記少なくとも１つの駆動体を通る前記電流（ｉ０）との前記差を求めることによって実行される、請求項１又は２に記載の方法。
請求項４：
前記ハンドピースを通る前記電流の仕事当量を計算する前記ステップのとき、前記少なくとも１つの駆動体を通る電流（ｉ０）が、該少なくとも１つの駆動体（３６）の前記キャパシタンス（ＣＯ）と、前記駆動信号の前記電圧（ＶＳ）及び前記周波数（ω）との関数として計算される、請求項３に記載の方法。
請求項５：
前記少なくとも１つの駆動体を通る前記電流と、前記ハンドピースの前記機械構成要素を通る前記電流の仕事当量との間の前記比を計算する前記ステップ（３５６）の後、前記比は目標比と比較され、
前記ＡＣ駆動信号の前記周波数を設定する前記ステップは、前記少なくとも１つの駆動体を通る前記電流と前記ハンドピースの前記機械構成要素を通る前記電流の仕事当量との間の前記比（３５６）と前記目標比との前記比較に基づいて実行される、請求項１〜４のいずれか１項に記載の方法。
請求項６：
前記計算された比を前記目標比と比較する前記ステップが実行されるとき、前記計算された比は、０の目標比と比較される、請求項５に記載の方法。
請求項７：
前記プロセッサ（２６６）、前記ハンドピースの機械構成要素を通る電流の仕事当量を計算する前記ステップと、前記少なくとも１つの駆動体を通る前記電流と前記ハンドピースの前記機械構成要素を通る前記電流の仕事当量との間の比を計算する前記ステップとの少なくとも初期実行中に、前記計算は、前記ハンドピース（３２）に関連付けられたメモリ（５６）から読み取られた前記少なくとも１つの駆動体の前記キャパシタンス（ＣＯ）の表示値を入力変数として用いて実行される、請求項１〜６のいずれか１項に記載の方法。
請求項８：
前記ハンドピースの機械構成要素を通る電流の目標仕事当量を求める前記ステップ（３４２）において、前記電流の目標機械構成要素当量は、前記ハンドピースチップ（１６４）の振動の前記所望の大きさを示すユーザ入力コマンドを表す信号に部分的に基づいて計算される、請求項１〜７のいずれか１項に記載のシステム。
請求項９：
前記ＡＣ駆動信号を供給する前記ステップは、定電圧における信号を出力する電源装置（２３２）と、該電源装置によって出力された前記信号を受信し、可変電位駆動信号を出力するために該電源装置からの前記信号を増幅するように構成された可変利得増幅器（２３４）とを用いて実行され、
前記ＡＣ駆動信号の前記電位を設定する前記ステップ（３５２）は、前記増幅器（２３４）の前記利得を変化させることによって実行される、請求項１〜８のいずれか１項に記載のシステム。
請求項１０：
前記ＡＣ駆動信号を供給する前記ステップは、ＤＣ信号又は定周波数におけるＡＣ信号のいずれかを出力する電源装置（２３２）と、前記電源装置によって出力された前記信号を受信し、可変電位駆動信号を出力するために前記電源装置からの前記信号の前記周波数を変化させるように構成された信号ジェネレータ（２３４）とを用いて実行され、
前記ＡＣ駆動信号の前記周波数を設定する前記ステップ（３５２）は、前記信号ジェネレータ（２３４）によって出力される前記信号の前記周波数を調節することによって実行される、請求項１〜９のいずれか１項に記載のシステム。
請求項１１：
超音波手術用具システム（３０）であって、
ＡＣ駆動信号の前記印加に応答して周期的に拡張及び収縮する少なくとも１つの駆動体（３６）を有するハンドピース（３２）と、
対向する近位端及び遠位端を有するチップ（１４２）であって、該チップの前記近位端は、前記駆動体の前記拡張及び前記収縮が該チップの前記近位端を長手方向に振動させるように前記少なくとも１つの駆動体に連結され、該チップは、前記遠位端にヘッド（１６４）を有し、該ヘッドは、振動されると、該ヘッドが適用された組織に対して医療処置を行うように成形され、該チップは、該チップの前記近位に存在する前記長手方向振動を、前記遠位端において長手方向成分及びねじれ方向成分を有する振動に変換する特徴部（１５４）を前記近位端と前記遠位端との間に有する、チップと、
超音波ハンドピース（３２）の前記チップ（５０）を振動させるシステムであって、前記ハンドピースは、前記チップを振動させるＡＣ駆動信号が印加される少なくとも１つの駆動体（４０）を有する、システムと、
を備え、
前記システムは、
ハンドピースの少なくとも１つの駆動体（４０）に印加される可変ＡＣ駆動信号を生成するアセンブリ（２３２、２３４、２３８）と、
駆動信号電圧を表す信号を出力する前記駆動信号の前記電圧を測定するアセンブリ（２４６、２５２）と、
駆動信号電流を表す信号を出力する前記ハンドピースに印加される前記駆動信号の前記電流を測定するアセンブリ（２５４、２５６）と、
前記駆動信号電圧を表す信号及び前記駆動信号電流を表す信号から受信するプロセッサ（２６６）であって、前記駆動信号電圧と、前記駆動信号電流と、前記少なくとも１つの駆動体の前記キャパシタンスとに基づいて、
前記ハンドピースの前記機械構成要素を通る電流の目標当量である電流の目標仕事当量を求めること（３４２）と、
前記駆動信号の前記電圧と、前記駆動信号の前記電流と、前記駆動信号の前記周波数と、前記少なくとも１つの駆動体（３６）の前記キャパシタンスとに基づいて、前記ハンドピースの機械構成要素に印加される電流の仕事当量を計算すること（３５０）と、
前記電流の目標仕事当量を、前記ハンドピースの前記機械構成要素に印加される前記計算された電流の当量と比較すること（３５０８）と、
前記電流の比較に基づいて、前記駆動信号を生成する前記アセンブリ（２３２、２３４、２３８）によって出力される前記駆動信号の前記電位を設定すること（３５２）と、
前記駆動信号の前記電圧と、前記駆動信号の前記電流と、前記駆動信号の前記周波数と、前記圧電駆動体の前記キャパシタンスとに基づいて、前記少なくとも１つの駆動体に印加される電流と、前記ハンドピースの前記機械構成要素を通る前記電流の仕事当量との間の比を計算すること（３５６）と、
前記計算された比に基づいて、前記ＡＣ駆動信号（６８、７０、７２）を生成する前記アセンブリによって出力される前記ＡＣ駆動信号の前記周波数を設定すること（３５８）と、
を行うように構成された、プロセッサと、
を備え、
該超音波手術用具システムは、
前記プロセッサが、前記ＡＣ駆動信号の前記周波数を設定するとき、前記プロセッサは、前記ハンドピース（３２）の前記２つの隣接する機械共振モードのうちの前記第１のものの前記チップヘッド（１６４）の前記振動の前記長手方向成分が、前記機械共振モードのうちの前記第２のものの前記振動の前記長手方向成分を少なくとも部分的にキャンセルするように、前記ＡＣ駆動信号を、前記機械共振モードの共振周波数（ｆ１、ｆ２）の間の周波数（ｆＬＣ）に設定することを特徴とする、超音波手術用具システム。
請求項１２：
請求項１１に記載のシステム（３０）であって、前記プロセッサ（２６）は、前記比に基づいて前記駆動信号の前記周波数を設定する前に、前記機械共振モードのうちの前記第１のものの前記チップヘッド（１６４）の前記振動の前記長手方向成分が、前記機械共振モードのうちの前記第２のものの前記振動の前記長手方向成分を少なくとも部分的にキャンセルするように、前記ＡＣ駆動信号の前記周波数を、前記ハンドピースの前記２つの隣接する機械共振モードの前記共振周波数（ｆ１、ｆ２）の間の周波数（ｆＬＣ）に初期設定する（３４４）ように更に構成される、システム。
請求項１３：
請求項１１又は１２に記載のシステム（３０）であって、前記プロセッサ（２６６）は、前記駆動信号の前記電流（ｉＳ）と前記少なくとも１つの駆動体を通る前記電流（ｉ０）との前記差を求めることによって、前記ハンドピース（３２）の前記機械構成要素に印加される前記電流の当量を計算するように構成される、システム。
請求項１４：
請求項１３に記載のシステム（３０）であって、前記プロセッサ（２６６）は、前記少なくとも１つの駆動体（３６）の前記キャパシタンス（ＣＯ）と、前記駆動信号の前記電圧（ＶＳ）及び前記周波数（ω）との関数として、前記少なくとも１つの駆動体を通る前記電流（ｉ０）を求めるように構成される、システム。
請求項１５：
請求項１１〜１４のいずれか１項に記載のシステム（３０）であって、前記プロセッサ（２６６）は、
前記少なくとも１つの駆動体（３６）に印加される電流と、前記ハンドピースの前記機械構成要素に印加される前記電流の仕事当量との間の前記計算された比が、前記駆動周波数が目標比に実質的に等しいことを示すか否かを判断すること（３５６）と、
前記判断が、前記計算された比が前記目標比に実質的に等しくないことを示す場合、駆動信号の前記周波数を調整すること（３５８）と、
を行うように構成される、システム。
請求項１６：
前記プロセッサが、前記少なくとも１つの駆動体（３６）に印加される電流と、前記ハンドピースの前記機械構成要素に印加される前記電流の仕事当量との間の前記計算された比が、前記駆動周波数が前記目標比に実質的に等しいことを示すか否かを判断するとき（３５６）、前記プロセッサは、前記計算された比が０の目標比に実質的に等しいか否かを判断する、請求項１５に記載のシステム。
請求項１７：
請求項１１〜１６のいずれか１項に記載のシステム（３０）であって、前記プロセッサ（２６６）は、
前記少なくとも１つの駆動体（３６）の前記キャパシタンスを表すデータを前記ハンドピース（３２）に関連付けられたメモリ（５６）から得ることと、
前記システムの少なくとも初期起動時に、前記ハンドピースメモリ（５６）から得られた前記駆動体のキャパシタンスのデータに基づいて、前記ハンドピースの機械構成要素に印加される前記電流の当量を計算することと、
前記ハンドピースメモリから読み取られた前記駆動体のキャパシタンスのデータに基づいて、前記圧電駆動体に印加される電流と前記ハンドピースの前記機械構成要素に印加される前記電流の当量との間の前記比を計算することと、
を行うように更に構成される、システム。
請求項１８：
請求項１１〜１７のいずれか１項に記載のシステム（３０）であって、前記プロセッサ（２６６）は、
前記ハンドピースチップの振動の前記所望の大きさを示すユーザ入力コマンドを表す信号を受信することと、
前記ハンドピースチップの振動の前記所望の大きさを示す前記ユーザ指示コマンドを表す前記信号に部分的に基づいて、前記電流の目標仕事当量を求めること（３４２）と、
を行うように更に構成される、システム。
請求項１９：
請求項１１〜１８のいずれか１項に記載のシステム（３０）であって、
前記駆動信号を生成する前記アセンブリは、定電圧における信号を出力する電源装置（２３２）と、該電源装置によって出力された前記信号を受信し、可変電位駆動信号を出力するために該電源装置からの前記信号を増幅するように構成された可変増幅器（２３４）とを備え、
前記プロセッサ（２６６）は、前記増幅器に接続されて、前記増幅器の前記利得を調節することによって前記駆動信号の前記電位を設定する、システム。
請求項２０：
請求項１９に記載のシステム（３０）であって、前記プロセッサ（２６６）は、前記増幅器に接続されて、前記増幅器によって出力される前記信号の前記周波数及び前記振幅を調節することによって前記駆動信号の前記電位及び前記周波数を設定する、システム。
請求項２１：
請求項１１〜２０のいずれか１項に記載のシステム（３０）であって、前記チップ（１４２）には溝（１５４）が形成され、該溝は、存在する結果として、前記少なくとも１つの駆動体（３６）から前記チップに印加される前記長手方向振動運動が長手方向成分及びねじれ方向成分を有する振動運動に変換されるように成形される、システム。
請求項２２：
請求項２１に記載のシステム（３０）であって、前記溝（１５４）は、前記チップ（１４２）の長手方向軸の回りに曲線を描くように螺旋状に成形される、システム。